(57)【要約】【課題】メモ・原稿などの紙類の他、卓上カレンダー・写真フレーム・ノート、或いはレコードやＣＤ・ＭＤ・ＭＯなどメディアディスク及びそのケースなどの文房具類や身の回りのあらゆるパネル状及びシート状の小物類や紙類と、曲がりやすく単独では自立困難な薄紙片の両方を立てることのできるスタンドはない。【解決手段】机上において、押し圧部品などを要さずスタンド本体の形状のみで、様々な厚みや大きさの文房具類や身の回りのあらゆるパネル状及びシート状の小物類や紙類等のほか、折れ曲がりやすく単独では自立困難な各種薄紙片を、机上に容易に安定起立させて展示・掲示・整理することができるなど多目的な用途に適応する万能スタンドを、安価に提供する。【選択図】  図１
2004195160.tif 000002
【特許請求の範囲】
【請求項１】
メモなどを自立させるためのメモスタンドやペーパースタンドにおいて、自立させようとするパネル状物及びシート状物の前倒れを防止するために、挿入する溝の背面を傾斜させ、溝の底面には摩擦を増強させるような表面形状（例えばレザー状或いは筋状の模様など、又は針状・台状の形状や階段状にしたり、摩擦係数の多い材料を付加するなど）を施し、尚且つ該底面と背面との角度は直角又はそれ以下の角度にしたことによって、メモ用紙・絵画・ハガキ・ポスター・カレンダー・写真フレーム・ノートなどシート状物や様々な厚みの紙やメモ帳のようなノート状の物、或いはレコードやＣＤ・ＭＤ・ＭＯなどのメディアディスク及びそのケースなどパネル状及びシート状のあらゆる文房具類や身の回りの小物類などを、押圧部品など他の部品を使用せずに自立させて展示・掲示・整理することを特徴とした万能スタンド。
【請求項２】
折れ曲がりやすく単独では起立困難な各種薄紙片を湾曲させて自立させるための形状を、上記の請求項１の機能を損なうことのないように側面形状を維持したまま併設具備することにより、レポート原稿、楽譜、メニュー等の掲示台などにも用途を広げたことを特長とした万能スタンド。
【請求項３】
請求項１及び２にあって、スタンド本体の底部にマグネット或いはミクロ吸盤シートを装着して、その吸着力を利用して、スタンド本体を安定させて、転倒しにくくしたことを特長とした万能スタンド。
【請求項４】
請求項１、２及び３にあって、スタンド本体に名入れ印刷用のスペースを設けたり、ペンたてやクリップホルダーなど他の機能を付加したり、キャラクター人形などで、付加価値をより高めたことを特長とした万能スタンド。
【発明の詳細な説明】
【０００１】
【本発明の属する技術分野】
メモ・原稿などの紙類の他、卓上カレンダー・写真フレーム・ノート、或いはレコードやＣＤ・ＭＤ・ＭＯなどメディアディスク及びそのケースなどの文房具類や身の回りのあらゆるパネル状及びシート状の小物類（以下、文房具類、その他パネル状・シート状の小物類という）や紙類を立てるためのスタンドに関するものである。
【０００２】
本発明は、例えばレポート原稿、楽譜、メニュー等折れ曲がりやすく単独では起立困難な各種薄紙片等のシート状物を自立させるためのスタンドに関するものである。
【０００３】
【従来の技術】
メモなどを自立させるためのペーパースタンドにおいて、湾曲できない厚い紙や、メモ帳など何枚も紙を重ねたもの、など厚みの違うものを自立させるために、可動式の押圧具を具備するのが一般的であり、コスト高の原因になる。
【０００４】
メモなどを立てるためのペーパースタンドにおいて、曲がりやすく単独では自立困難な各種薄紙片を起立させるために、裏側に添え板を付加したり、挟溝部を湾曲させたりして、紙片を起立させるのが一般的である。
【０００５】
文房具類、その他パネル状・シート状の小物類と曲がりやすく単独では自立困難な薄紙片の両方を立てることのできるスタンドはない。
【０００６】
【発明が解決しようとする課題】
文房具類、その他パネル状・シート状の小物類や紙類を自立させるために、可動式の押し付け具を具備するとコストが高くなり、薄い大きな紙を自立させるために裏側に添え板を付けるとスタンド全体の形が大きくなり、小さなメモ用紙などを立てると邪魔になる。又、挟溝部を湾曲させると挟溝部を広くできないので、厚い紙や、紙を数枚重ねて立てることができないなどの欠点がある。
【０００７】
【課題を解決する為の手段】
本発明は、文房具類その他パネル状・シート状の小物類その他紙類を起立させて展示・掲示・整理することができる溝の形状を提案し更に、折れ曲がりやすく単独では自立困難な各種薄紙片を自立させるための形状を併設する手段によって、可動式押圧具などの部品を一切使用せずに本体溝部の形状のみで、上記の課題の全てを解決するものである。
【０００８】
【発明の実施の形態】
本体１に、溝２を設け、溝２の背面３を後ろに傾斜させ、溝の底面４と背面３との角度を９０度又はそれ以下に設定することにより、文房具類その他パネル状・シート状の小物類１０その他紙類１０を、前倒れせずに適度な角度で容易に起立させることができる。
【０００９】
溝２の底面４と自立させようとする文房具類や身の回りのあらゆるパネル状及びシート状の小物類や紙類等１０との摩擦を増強させるような表面形状（例えばレザー状或いは筋状・台状・針状の模様や形状など、或いは摩擦係数の多い材料を付加するなど）を施すことにより、適度な角度に自立させることができる。
【００１０】
溝２の底面の面又はレザー状或いは筋状の模様や台状（図４）・針状（図５）或いは階段状の形状にすることにより、文房具類その他パネル状・シート状の小物類１０その他紙類１０の厚みに応じて適度な角度で容易に起立させることができる。
【００１１】
側面形状を変えずに、本体の一部に紙押さえ部分５及び６を設け、紙を湾曲させるためのガイド部７を両側に設け、更にその３点を結ぶ溝８を設けることにより、文房具類や身の回りのあらゆるパネル状及びシート状の小物類や紙類等１０を自立させるための機能を損なわずに、折れ曲がりやすく単独では自立困難な各種薄紙片を自立させる構造を併設することができるため、コンピュータの原稿台やメニューの掲示台などにも利用できる。
【００１２】
様々な大きさや厚みの文房具類その他パネル状・シート状の小物類１０その他紙類１０を自立させた時に重心が底面９の面積から出ないように配慮しなければならないが、机との接触面にマグネットやミクロ吸盤シートの吸着力を利用することにより、重心が底面９からはみ出しても容易に転倒しないようになる。
【００１３】
本考案の目的である、文房具類その他パネル状・シート状の小物類１０その他紙類１０及び、折れ曲がりやすく単独では自立困難な各種薄紙片を自立させ展示・掲示・整理するための機能に関係のない本体部分の外側形状は、円筒形・半円形・台形など自由な形状にできる。又、名入れ用のスペースを設けたり、ペンたてやクリップホルダーなど他の機能を付加したり、キャラクター人形などを付加して、商品価値を高めることができる。
【００１４】
【発明の効果】
机上において、押し圧部品などを要さずスタンド本体の形状のみで、様々な厚みや大きさの文房具類や身の回りのあらゆるパネル状及びシート状の小物類や紙類等１０のほか、折れ曲がりやすく単独では自立困難な各種薄紙片を、机上に容易に安定起立させて展示・掲示・整理することができるなど多目的な用途に適応する万能スタンドを、安価に提供できる。
【図面の簡単な説明】
【図１】本考案の実施例の実施状態を表す見取り図である。
【図２】本考案の基本的形態の側面図である。
【図３】本考案の実施例の見取り図である。
【図４】摩擦を大きくするために溝の底面を台状にした側面図である。
【図５】摩擦を大きくするために溝の底面を針状にした側面図である。
【図６】本考案の溝の底面を階段状にした実施例の見取り図である。
【図７】本考案の文房具類その他パネル状・シート状の小物類その他紙類を自立させる機能を維持し、単独では自立困難な各種薄紙片を自立させる機能を併設した実施例の見取り図である。
【図８】本考案の溝の底部を階段状にした形態で文房具類その他パネル状・シート状の小物類その他紙類を自立させる機能を維持し、単独では自立困難な各種薄紙片を自立させる機能を併設した実施例の見取り図である。
【符号の説明】
１  スタンド本体
２  溝
３  溝の背面
４  溝底面
５  紙押さえ部
６  紙受部
７  ガイド部
８  溝部
９  本体底面
１０  パネル状及びシート状小物類或いは紙類
【図１】
2004195160.tif 000003
【図２】
2004195160.tif 000004
【図３】
2004195160.tif 000005
【図４】
2004195160.tif 000006
【図５】
2004195160.tif 000007
【図６】
2004195160.tif 000008
【図７】
2004195160.tif 000009
【図８】
2004195160.tif 000010